(57)【要約】【課題】  置く場所に注意を払うことなく様々な場所に安心して置けるようにするとともに、室内のジュータン面や階段、或いは道路面等でも、ストレッチャーをスムースかつ容易に引き擦って搬送できるようにする。【解決手段】  被搬送者Ｈを載せることができるマットレス２及びこのマットレス２に対して少なくとも搬送するための搬送用部材３…を備えるストレッチャー１を構成するに際して、被搬送者Ｈを載せることができるマットレス２と、所定の厚さＬｄを有し、かつフレキシブル性を有するとともに、マットレス２とほぼ同じ大きさに形成することにより、マットレス２の下に敷いた状態で当該マットレス２に取付ける合成樹脂製の台座パネル４と、この台座パネル４を利用して取付けた搬送用部材３…を備える。【選択図】  図１
2008113773.tif 000002
【特許請求の範囲】
【請求項１】
被搬送者を載せることができるマットレス及びこのマットレスに対して少なくとも搬送するための搬送用部材を備えるストレッチャーにおいて、被搬送者を載せることができるマットレスと、所定の厚さを有し、かつフレキシブル性を有するとともに、前記マットレスとほぼ同じ大きさに形成することにより、前記マットレスの下に敷いた状態で当該マットレスに取付ける合成樹脂製の台座パネルと、この台座パネルを利用して取付けた搬送用部材を備えることを特徴とするストレッチャー。
【請求項２】
前記マットレスは、内部の空気を抜くことにより空気を抜く直前の形状に固定する形状記憶マットレスを用いることを特徴とする請求項１記載のストレッチャー。
【請求項３】
前記マットレスは、内部に空気を吸入してクッションにするクッション性マットレスを用いることを特徴とする請求項１記載のストレッチャー。
【請求項４】
前記マットレスは、周縁に沿って設けた複数の一側着脱部を、前記台座パネルの対応する位置に設けた他側着脱部に装着して当該台座パネルに取付けることを特徴とする請求項１，２又は３記載のストレッチャー。
【請求項５】
前記台座パネルは、ＴＰＯ系合成樹脂を用いることを特徴とする請求項１記載のストレッチャー。
【請求項６】
前記台座パネルは、少なくとも上面を滑りにくくする処理を施してなることを特徴とする請求項１又は５記載のストレッチャー。
【請求項７】
前記台座パネルは、表面が滑りにくい第一の合成樹脂素材を用いた上側パネル部と表面が滑りやすい第二の合成樹脂素材を用いた下側パネル部を有する二層構造により構成することを特徴とする請求項６記載のストレッチャー。
【請求項８】
前記搬送用部材は、前記台座パネルに形成した孔部を用いて、又はこの孔部に挿通させた紐部材による複数の係合部を用いて前記台座パネルに取付けることを特徴とする請求項１記載のストレッチャー。
【発明の詳細な説明】
【技術分野】
【０００１】
本発明は、被搬送者を載せることができるマットレス及びこのマットレスに対して少なくとも搬送するための搬送用部材を備えるストレッチャーに関する。
【背景技術】
【０００２】
従来、怪我人や患者等の被搬送者を運ぶことができるストレッチャーは知られており、既に、本出願人もこの種の用途に好適な担架（ストレッチャー）を、実用新案登録第２０５７４４４号（実公平６−２１４６６号公報）により提案した。
【０００３】
同実用新案登録に係る担架は、被搬送者を載せることができる屈曲可能なマットレスと、このマットレスの対向する両側縁部に沿って設けられ、ベルトが挿通される保持部と、このマットレスの両側縁部に沿って設けられた保持部に移動可能に挿通されるとともに、各保持部両縁側から引き出された対向する端部が接続された状態のループ状に形成されたフレキシブルなベルトとを具備しており、このマットレスは、気体を吸収した際にクッションとなり、また、巻いたりして内部の気体を排出してコンパクトな棒状にすることができる。
【特許文献１】実公平６−２１４６６号
【発明の開示】
【発明が解決しようとする課題】
【０００４】
しかし、上述した従来のストレッチャー（担架）は、次のような解決すべき課題が存在した。
【０００５】
第一に、マットレスは、空気を吸収した状態で用いるため、地面等に置いた担架の上に被搬送者を載せた際に、担架（マットレス）の下に鋭い岩石や折れた枝片等があった場合、マットレスに穴が空く虞れがある。この場合、全く使用不能になることはないとしても、マットレスを利用した本来の担架性能を確保できなくなる。
【０００６】
第二に、室内や階段等では、担架を引き擦って搬送したほうがスムースで容易に搬送できる場合があるとともに、一人で搬送しなければならない場合もあるが、従来の担架では、平坦な床面などでは引き擦ることも可能であるとしても、ジュータンの上や道路面、更には階段の昇降などで引き擦ることは容易でなく、利便性や使い勝手に難がある。
【０００７】
第三に、マットレス又はこのマットレスを収容するカバーにベルトを装着するため、マットレス又はカバーに直接ベルトの応力（引張力）が付加されることになり、長期の使用によりマットレス又はカバーを痛めやすい。
【０００８】
第四に、怪我人のように身体の姿勢を固定した状態で運びたい場合もあるが、このような用途に応えることができない。結局、この場合には他の固定手段を併用する必要があるなど、多用途性及び多機能性の観点からも不十分である。
【０００９】
本発明は、このような背景技術に存在する課題を解決したストレッチャーの提供を目的とするものである。
【課題を解決するための手段】
【００１０】
本発明は、上述した課題を解決するため、被搬送者Ｈを載せることができるマットレス２及びこのマットレス２に対して少なくとも搬送するための搬送用部材３…を備えるストレッチャー１を構成するに際して、被搬送者Ｈを載せることができるマットレス２と、所定の厚さＬｄを有し、かつフレキシブル性を有するとともに、マットレス２とほぼ同じ大きさに形成することにより、マットレス２の下に敷いた状態で当該マットレス２に取付ける合成樹脂製の台座パネル４と、この台座パネル４を利用して取付けた搬送用部材３…を備えることを特徴とする。
【００１１】
この場合、発明の好適な態様により、マットレス２には、内部の空気を抜くことにより空気を抜く直前の形状に固定する形状記憶マットレスを用いることができるとともに、内部に空気を吸入してクッションにするクッション性マットレスを用いることもできる。また、マットレス２は、周縁に沿って設けた複数の一側着脱部５…を、台座パネル４の対応する位置に設けた他側着脱部６…に装着して当該台座パネル４に取付けることができる。一方、台座パネル４には、ＴＰＯ系合成樹脂を用いることができるとともに、台座パネル４には、少なくとも上面を滑りにくくする処理を施すことができ、具体的には、表面が滑りにくい第一の合成樹脂素材を用いた上側パネル部４ｕと表面が滑りやすい第二の合成樹脂素材を用いた下側パネル部４ｄを有する二層構造により構成できる。さらに、搬送用部材３…は、台座パネル４に形成した孔部７…を用いて、又はこの孔部７…に挿通させた紐部材Ｒによる複数の係合部８…を用いて台座パネル４に取付けることができる。
【発明の効果】
【００１２】
このような構成を有する本発明に係るストレッチャー１によれば、次のような顕著な効果を奏する。
【００１３】
（１）  所定の厚さＬｄを有し、かつフレキシブル性を有するとともに、マットレス２とほぼ同じ大きさに形成することにより、マットレス２の下に敷いた状態で当該マットレス２に取付ける合成樹脂製の台座パネル４を備えるため、地面等に置いた際に、ストレッチャー１の下に鋭い岩石や折れた枝片等があった場合でも、マットレス２に穴が空く虞れがなく、マットレス２を確実に保護できる。したがって、置く場所に注意を払うことなく様々な場所に安心して置くことができる。
【００１４】
（２）  室内のジュータン面や階段、或いは道路面等でも、ストレッチャー１をスムースかつ容易に引き擦って搬送できるため、搬送時の時間短縮及び労力軽減を実現することができるなど、利便性や使い勝手を高めることができ、特に、一人でも容易に搬送することができる。
【００１５】
（３）  好適な態様により、マットレス２に、内部の空気を抜くことにより空気を抜く直前の形状に固定する形状記憶マットレスを用いれば、怪我人のように身体の姿勢を固定した状態で搬送したい場合でも、他の固定手段を併用することなく確実に姿勢を固定できるなど、多用途性及び多機能性に優れる。
【００１６】
（４）  好適な態様により、マットレス２に、内部に空気を吸入してクッションにするクッション性マットレスを用いれば、既知のマットレスを用いた際における付加価値をより高めることができる。
【００１７】
（５）  好適な態様により、マットレス２と台座パネル４を、周縁に沿って設けた複数の一側着脱部５…と他側着脱部６…により着脱できるようにすれば、台座パネル４を共通にしてマットレス２の種類を容易に変更できるなど、より利便性及び多用途性を高めることができる。
【００１８】
（６）  好適な態様により、台座パネル４に、ＴＰＯ系合成樹脂を用いれば、ストレッチャー１を引き擦って搬送する際の最適な性能を確保できる。
【００１９】
（７）  好適な態様により、台座パネル４に、少なくとも上面を滑りにくくする処理、具体的には、表面が滑りにくい第一の合成樹脂素材を用いた上側パネル部４ｕと表面が滑りやすい第二の合成樹脂素材を用いた下側パネル部４ｄを有する二層構造により構成すれば、マットレス２を台座パネル４の上面にズレることなく安定に保持できるとともに、一人でストレッチャー１を搬送する場合などでも容易かつ円滑に引き擦ることができる。
【００２０】
（８）  好適な態様により、搬送用部材３…を、台座パネル４に形成した孔部７…を用いて、又はこの孔部７…に挿通させた紐部材Ｒによる複数の係合部８…を用いて台座パネル４に取付ければ、搬送用部材３…の応力（引張力）がマットレス２に付加されることがなく、長期の使用によってもマットレス２を痛めにくく、ストレッチャー１の耐久性をより高めることができる。
【発明を実施するための最良の形態】
【００２１】
次に、本発明に係る最良の実施形態を挙げ、図面に基づき詳細に説明する。
【００２２】
まず、本実施形態に係るストレッチャー１の構成について、図１〜図６を参照して説明する。
【００２３】
ストレッチャー１は、大別して、一枚のマットレス２，一又は二以上の搬送用部材３…及び一枚の台座パネル４を備える。マットレス２は、被搬送者Ｈを寝かせた状態で載せることができる大きさを考慮し、図２に示すように、全体が長方形となるように構成する。このマットレス２に用いることができる望ましい形態として、少なくとも二種類のマットレスを挙げることができ、本実施形態に係るストレッチャー１では、これらのマットレスを選択して使用可能である。
【００２４】
第一の形態のマットレス２は、内部の空気を抜くことにより空気を抜く直前の形状に固定する形状記憶マットレスを用いる。図３に、第一の形態のマットレス２を示す。このマットレス２は、防火性，防水性，強度に優れた上下二枚の合成樹脂製のシート材１１ｕ，１１ｄを重ね合わせ、図２に示すように、四端辺の全周囲を所定の幅Ｌｗにより固着することにより、密閉した袋状に構成したパック部１１を備え、このパック部１１の内部に粒子状の充填材１２を収容する。充填材１２には、粒子の大きさが１〔ｍｍ〕以下の発泡樹脂パウダー（米国バイナルテクノロジー社製）を用いることができる。この発泡樹脂パウダーは、パック部１１に収容した際に、パック部１１内の空気を抜くことにより空気を抜く直前の形状に固定できる性質を有している。したがって、形状記憶マットレスを用いれば、怪我人のように身体の姿勢を固定した状態で搬送したい場合でも、他の固定手段を併用することなく確実に姿勢を固定できるなど、多用途性及び多機能性に優れる。
【００２５】
さらに、パック部１１は、図２及び図３に示すように、所定間隔おきに固着部１３…を設けることにより、シート材１１ｕと１１ｄ同士をポイント状に固着し、パック部１１に収容した充填材１２の一側への偏りを防止する。また、パック部１１の四端辺の全周囲には、所定の幅Ｌｗのパックフランジ部１４が形成されるため、このパックフランジ部１４を利用して複数の一側着脱部（一側ボタン部）５…を取付ける。即ち、複数の一側ボタン部５…を、パック部１１（マットレス２）の周縁に沿って所定間隔おきに設ける。一方、図２及び図４に示すように、下側のシート材１１ｄの外面であって一つの隅部近傍には、パック部１１の内部の空気を抜くための空気抜弁部（逆止弁）１５を設ける。これにより、この空気抜弁部１５に、別途用意したエアポンプを接続してパック部１１内の空気を抜くことができ、通常、数秒程度で目的量の空気を抜くことができる。
【００２６】
他方、第二の形態のマットレス２には、内部に空気を吸入してクッションにするクッション性マットレスを用いることができる。具体的には、実公平６−２１４６６号に開示されるマットレスを用いることができる。この場合、第二の形態のマットレス２には、バルブ（キャップ）を開けるのみで、内部に自動で空気が吸入される自吸式のマットレスを用いることが望ましい。したがって、このようなクッション性マットレスを用いれば、既知のマットレスを用いた際における付加価値をより高めることができる利点がある。
【００２７】
一方、台座パネル４は、所定の厚さＬｄを有し、かつフレキシブル性を有する合成樹脂素材により全体をフレキシブルパネルとして一体形成する。例示の台座パネル４は、図３（図４）に示すように、厚さＬｄが２〔ｍｍ〕の筒中プラスチック工業株式会社製のマルチレイヤーＴＰＯ（サーモポリオレフィン）系合成樹脂により形成した。この台座パネル４は、表面が滑りにくい第一の合成樹脂素材を用いた上側パネル部４ｕと、表面が滑りやすい、即ち、表面滑性の高い第二の合成樹脂素材を用いた下側パネル部４ｄを有する二層構造である。台座パネル４に、ＴＰＯ系合成樹脂を用いれば、ストレッチャー１を引き擦って搬送する際の最適な性能を確保できるとともに、このような二層構造により構成することにより、マットレス２を台座パネル４の上面にズレることなく安定に保持できるとともに、一人でストレッチャー１を搬送する場合などでも容易かつ円滑に引き擦ることができる。
【００２８】
また、台座パネル４は、図２に示すように、マットレス２とほぼ同じ大きさに形成するとともに、四隅部は、内側へ凹状に切欠いた切欠部２１…を形成し、図４に示すように、空気抜弁部１５が台座パネル４に当たらないように考慮する。そして、台座パネル４の四端辺の全周囲に沿って複数の他側着脱部（他側ボタン部）６…を取付ける。この他側ボタン部６…は、台座パネル４をマットレス２の下に敷いた状態でマットレス２に設けた各一側ボタン部５…の位置に対応して設ける。さらに、台座パネル４の四端辺のうち、長手方向に沿った二つの端辺４ｐ，４ｑの近傍には、複数の孔部７…を設ける。各孔部７…は、所定間隔Ｌｉにより離間した二つの孔部７，７を一組の紐取付部２２とし、各端辺４ｐ，４ｑのそれぞれにおいて、一定間隔おきの四個所に設ける。他方、台座パネル４の四端辺のうち、短手方向に沿った二つの端辺４ｆ，４ｒの近傍には、離間して配した二つの孔部７…をそれぞれ設ける。なお、台座パネル４は、全体を透明又は半透明（乳白色）に形成し、表面には、被搬送者Ｈを載せる位置を明示した位置表示部２４，２５を設けることが望ましい。
【００２９】
他方、搬送用部材３…は、台座パネル４を利用して取付ける。搬送用部材３…は、ストレッチャー１を搬送するための手段であり、オプションを含めて各種形態に係る搬送用部材３…を利用できる。搬送用部材３…を取付けるに際しては、台座パネル４に形成した孔部７…を利用する。この場合、台座パネル４の端辺４ｆ，４ｒの近傍に形成した孔部７…は、後述するループベルト３２を挿通させて直接用いる。一方、台座パネル４の端辺４ｐ，４ｑの近傍に形成した孔部７…には、係合部８を取付けて用いる。即ち、紐取付部２２における一組の孔部７，７に紐部材Ｒを挿通させ、紐部材Ｒの両端を固着してループ状となる係合部８（図５参照）を取付けて用いる。したがって、係合部８は、台座パネル４の一方の端辺４ｐ（又は４ｑ）に沿って四個所、両端辺４ｐ，４ｑでは、計八個所に設けられる。搬送用部材３…は、各係合部８…を用いて台座パネル４に取付けることができる。
【００３０】
このように、搬送用部材３…を、台座パネル４に形成した孔部７…を用いて、又はこの孔部７…に挿通させた紐部材Ｒによる複数の係合部８…を用いて台座パネル４に取付ければ、搬送用部材３…の応力（引張力）がマットレス２に付加されることがなく、長期の使用によってもマットレス２を痛めにくく、ストレッチャー１の耐久性をより高めることができる利点がある。
【００３１】
図５には、各種の搬送用部材３…を例示する。なお、図５に示す各搬送用部材３…は、便宜上、紐状に描いてあるが、図１に示すように、一定の幅を有する帯状に形成するなど、使用目的に応じて任意に形成できる。
【００３２】
まず、３１はハンドベルトである。このハンドベルト３１は、台座パネル４の下面に突出する左右の係合部８，８に挿通させるベルト部３１ｂと、このベルト部３１ｂの両端に結合した一対のハンドグリップ部３１ｇ，３１ｇを有する。ハンドグリップ部３１ｇ…は、パイプ状のグリップ本体部３１ｇｍ…に、グリップベルト部３１ｇｂ…を挿通させ、グリップベルト部３１ｇｂ…の両端をベルト部３１ｂの端部に結合して構成する。なお、図５は、一つのハンドベルト３１のみを示すが、計四つのハンドベルト３１…を用意し、前後方向の四個所における各係合部８…に取付けることができる。
【００３３】
３２はループベルトである。このループベルト３２は、ベルト部３２ｂを使用し、このベルト部３２ｂの一端を、台座パネル４における端辺４ｒの近傍に形成した一方側の孔部７に上面側から挿入するとともに、下面に露出する各係合部８…に順番に挿通させ、他方の端辺４ｆの近傍に形成した一方側の孔部７に下面側から挿通させる。そして、さらに、端辺４ｆの近傍に形成した他方側の孔部７に上面側から挿入するとともに、下面に露出する各係合部８…に順番に挿通させ、端辺４ｒの近傍に形成した他方側の孔部７に下面側から挿通させ、この後、ベルト部３２ｂの他端に結合する。また、台座パネル４の上面における端辺４ｒ側及び４ｆ側からそれぞれ露出するベルト部３２ｂには、それぞれグリップ部３２ｇ…を取付ける。このグリップ部３２ｇ…はパイプ状に形成し、内部にベルト部３２ｂを挿通させる。
【００３４】
３３はショルダベルトである。このショルダベルト３３は、ベルト部３３ｂと、このベルト部３３ｂの両端に結合した一側ジョイント部３３ｊ，３３ｊを有する。この場合、上述したハンドベルト３１…におけるベルト部３１ｂの両端には、他側ジョイント部３５ｊ，３５ｊを結合し、この他側ジョイント部３５ｊ…に、一側ジョイント部３３ｊ…を装着（着脱）することができる。なお、図５は、仮想線による一つのショルダベルト３３のみを示すが、計二つのショルダベルト３３…を用意し、左右で用いることができる。
【００３５】
さらに、４１は安全ベルトであり、台座パネル４の上面に露出する左右の係合部８，８に挿通させるベルト部４１ｂと、係合部８，８に挿通させた後、ベルト部４１ｂの両端を装着（着脱）するバックル４１ｃを有する。なお、図５は、一つの安全ベルト４１のみを示すが、計四つのハンドベルト４１…を用意し、前後方向の四個所における各係合部８…に取付けることができる。この場合、被搬送者Ｈの頭部に位置する一つの安全ベルト４１は、バックル４１ｃが被搬送者の頭部に当たるため、頭部に当たっても影響のないバックル４１ｃ或いはバックル以外の固定手段（面ファスナ等）を用いる。
【００３６】
次に、本実施形態に係るストレッチャー１の機能及び使用方法について、図１〜図９を参照して説明する。なお、マットレス２は、第一の形態である形状記憶マットレスを用いた場合を示す。
【００３７】
まず、ストレッチャー１を使用しないときは、マットレス２と台座パネル４を離脱し、それぞれ巻いた状態でバッグ（図示を省略）に収容できるとともに、このバッグにより自由に携帯できる。この場合、巻いた台座パネル４の内部に、巻いたマットレス２を収容することができる。なお、各係合部８…は、予め台座パネル４に取付けておくことができるとともに、各搬送用部材３…及び安全ベルト４１…も必要に応じて取付けておくことができる。
【００３８】
一方、ストレッチャー１を使用するときは、バッグから取り出した台座パネル４を最初に広げる。この場合、台座パネル４は、自身の弾性により広がり、平坦面上に置いた場合には、図２に示すように平坦面に沿って広がる。次いで、マットレス２を広げ、台座パネル４の上に載せる。そして、図３に示すように、一側ボタン部５…と他側ボタン部６…を嵌め合わせて装着し、台座パネル４をマットレス２に取付ける。このように、マットレス２と台座パネル４は自由に着脱できるため、台座パネル４を共通にしてマットレス２の種類を容易に変更できるなど、より利便性及び多用途性を高めることができる。
【００３９】
以上により、ストレッチャー１の基本的な組付けが終わるため、このマットレス２の上に被搬送者Ｈを寝かせる（横たわらせる）とともに、安全ベルト４１…を装着して被搬送者Ｈを保持する。この際、必要に応じて、安全ベルト４１…を強く締め、図６に仮想線で示す位置Ｘｕのように、ストレッチャー１を被搬送者Ｈに沿うように湾曲させたり、或いは図１に示すように、台座パネル４の中途位置をくの字形に屈曲させるなどにより、被搬送者Ｈを最適な姿勢にする。そして、この状態で、マットレス２の空気抜弁部１５に、別途用意したエアポンプを接続し、マットレス２の内部の空気を抜く。この際、数秒程度で目的量の空気を抜くことができる。また、空気を抜いた後は、空気を抜く直前の形状に固定される。この状態を図１に示す。
【００４０】
さらに、台座パネル４には、搬送態様に応じて選択した搬送用部材３…を取付ける。これにより、様々な態様により搬送を行うことができる。
【００４１】
図７は、ループベルト３２を用いた搬送態様Ｕ１を示す。この搬送態様Ｕ１はストレッチャー１の前後における二人の搬送者Ｍｆ，Ｍｒにより搬送する態様であり、前側の搬送者Ｍｆが台座パネル４の前端から導出するループベルト３２のグリップ部３２ｇを持ち、また、後側の搬送者Ｍｒが台座パネル４の後端から導出するループベルト３２に装着したグリップ部３２ｇを持って搬送することができる。例示は、ジュータン面等の上を引き擦って搬送する状態を示している。特に、搬送態様Ｕ１の場合には、そのまま引き擦って階段を昇降したり地面（悪路面）等を引き擦って搬送できるとともに、一人の搬送者Ｍｆによる搬送も可能である。
【００４２】
図８は、ハンドベルト３１…を用いた搬送態様Ｕ２を示す。この搬送態様Ｕ２はストレッチャー１の左右における二人の搬送者Ｍｐ，Ｍｑにより搬送する態様であり、右側の搬送者Ｍｐが右側の前後に位置するハンドグリップ部３１ｇ，３１ｇを両手で持ち上げ、また、左側の搬送者Ｍｑが左側の前後に位置するハンドグリップ部３１ｇ，３１ｇを両手で持ち上げて搬送する状態を示している。
【００４３】
図９は、ショルダベルト３３…を用いた搬送態様Ｕ３を示す。この搬送態様Ｕ３はストレッチャー１の左右における二人の搬送者Ｍｐ，Ｍｑにより搬送するも、さらにショルダベルト３３…を利用した態様であり、右側の搬送者Ｍｐが右側の前後に位置するハンドグリップ部３１ｇ，３１ｇを両手で持つとともに、ハンドベルト３１…に結合したショルダベルト３３を肩に掛け、また、左側の搬送者Ｍｑが左側の前後に位置するハンドグリップ部３１ｇ，３１ｇを両手で持つとともに、ハンドベルト３１…に結合したショルダベルト３３を肩に掛けて搬送する状態を示している。
【００４４】
このように、本実施形態に係るストレッチャー１によれば、被搬送者Ｈを載せることができるマットレス２と、所定の厚さＬｄを有し、かつフレキシブル性を有するとともに、マットレス２とほぼ同じ大きさに形成することにより、マットレス２の下に敷いた状態で当該マットレス２に取付ける合成樹脂製の台座パネル４と、この台座パネル４を利用して取付けた搬送用部材３…を備えるため、地面等に置いた際に、ストレッチャー１の下に鋭い岩石や折れた枝片等があった場合でも、マットレス２に穴が空く虞れがなく、マットレス２を確実に保護できる。したがって、置く場所に注意を払うことなく様々な場所に安心して置くことができる。また、室内のジュータン面や階段、或いは道路面等でも、ストレッチャー１をスムースかつ容易に引き擦って搬送できるため、搬送時の時間短縮及び労力軽減を実現することができるなど、利便性や使い勝手を高めることができ、特に、一人でも容易に搬送することができる。このため、本実施形態に係るストレッチャー１は、緊急自動車などに搭載し、狭い場所，マンション，アパート，交通事故等の救出活動に用いて最適となる。
【００４５】
以上、最良の実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００４６】
例えば、マットレス２として、形状記憶マットレスとクッション性マットレスを例示したが、他の形態のマットレスを排除するものではない。また、台座パネル４とマットレス２は一側ボタン部（一側着脱部）５…と他側ボタン部（他側着脱部）６…を着脱式に構成した場合を示したが、予め一体化した構成を排除するものではない。さらに、台座パネル４は、二層構造により構成した場合を例示したが、表面が滑りやすい合成樹脂素材を用いた一層構造とし、上面を滑りにくくする処理（コーティングや表面処理など）を施した形態であってもよい。
【図面の簡単な説明】
【００４７】
【図１】本発明の最良の実施形態に係るストレッチャーの使用状態の斜視図、
【図２】同ストレッチャーのマットレスと台座パネルの斜視図、
【図３】同ストレッチャーの一部を示す断面図、
【図４】同ストレッチャーにおける空気抜弁部付近の一部を示す断面図、
【図５】同ストレッチャーにおける搬送用部材の取付態様を示す斜視図、
【図６】同ストレッチャーの機能説明図、
【図７】同ストレッチャーを用いた搬送態様の説明図、
【図８】同ストレッチャーを用いた他の搬送態様の説明図、
【図９】同ストレッチャーを用いた他の搬送態様の説明図、
【符号の説明】
【００４８】
１：ストレッチャー，２：マットレス，３…：搬送用部材，４：台座パネル，４ｕ：上側パネル部，４ｄ：下側パネル部，５…：一側着脱部，６…：他側着脱部，７…：孔部，８…：係合部，Ｈ：被搬送者，Ｌｄ：所定の厚さ，Ｒ：紐部材
【図１】
2008113773.tif 000003
【図２】
2008113773.tif 000004
【図３】
2008113773.tif 000005
【図４】
2008113773.tif 000006
【図５】
2008113773.tif 000007
【図６】
2008113773.tif 000008
【図７】
2008113773.tif 000009
【図８】
2008113773.tif 000010
【図９】
2008113773.tif 000011